(57)【要約】【課題】  従来の技術を利用して鉢栽培で大型作物を畑栽培同様に育てることには無理があった。【解決手段】  鉢栽培と水耕技術とを組み合わせた装置で、鉢には大きな通気口と鉢の高さを調節できる高さ調節ブロックを装着できる脚部を設け、液肥皿には液肥面を調節できる上部排水口と下部排水口を設け、合わせて廃品になったペットボトルにノズルつきキャップをつけて液肥補給容器として設置し、液肥面の自動調節をする。【選択図】図９
2008118976.tif 000002
【特許請求の範囲】
【請求項１】
丸形または角形の鉢（１）の底部に底網（３）と複数の脚部（４）と複数の通気口（５）を設ける。偏平の液肥皿（６）の側面にキャップ（９）のついた上部排水口（７）とキャップ（９）のついた下部排水口（８）を設ける。また液肥皿（６）の側面に液肥補給容器設置部（１１）を設け、液肥補給容器設置部（１１）の上面に複数の液肥補給容器支持金具とりつけ穴（１０）を設ける。鉢の脚部（４）に装着できる高さ調節ブロック（１２）を設ける。ペットボトルの口に合うノズルつきキャップ（１３）を設ける。ペットボトルが縦に収まる形の液肥補給容器支持金具（１４）を設ける。そしてこの液肥補給容器支持金具（１４）の足にネジ山を設け、このネジ山上を上下する液面調節ナット（１５）を設ける。以上前述した鉢（１）、液肥皿（６）、高さ調節ブロック（１２）、ノズルつきキャップ（１３）、そして液肥補給容器支持金具（１４）の５点を組み合わせて使用する大型作物の栽培可能な鉢栽培水耕装置。
【発明の詳細な説明】
【技術分野】
【０００１】  本発明は、鉢栽培で大型作物を容易に栽培可能にするため水耕技術を取り入れた鉢栽焙水耕装置に関するものである。
【背景技術】
【０００２】  従来の鉢栽培に水耕技術を取り入れた装置は数多くあるが、その多くが小型作物の栽培を目的としたものである。（例えば特許文献１参照、特許文献２参照）【０００３】  鉢栽培と水耕栽培を組み合わせた装置の中に空気ポンプを利用したものがある。（例えば特許文献３参照）【０００４】  鉢栽培にタンク式給水装置を配置したものがある。（例えば実用新案文献１参照）【０００５】
【特許文献１】  特開２００４−２２２５５２
【特許文献２】  特開２００３−３３１１９
【特許文献３】  特開平９−１４０２８２
【実用新案文献１】
実開平６−４５４３６
【発明が解決しようとする課題】
【０００６】  従来、鉢栽培技術または鉢栽培に水耕技術を取り入れた方法は先行技術として数多くある。しかし大型作物栽培に適合した鉢栽培技術は確立されていない。
【０００７】  普通の大人が鉢を扱う場合丸形の鉢の場合で直径３００ｍｍ高さ３００ｍｍで土を入れたときの総重量が２０ｋｇ以内というのが大きさの範囲と思われる。この大きさの鉢を用い土栽培だけで大型作物を畑同様に育てることは困難である。そこで鉢栽培に水耕技術を取り入れると大型作物の栽培の可能性が高まる。
【０００８】  大型作物が生長するに従い地上部に比例して鉢の底から出てくる根の量が増える。その場合通気性が悪くなり酸欠による根腐れが起こりやすくなる。根腐れを防止するには根の周囲の空間を確保し通風を良くしなければならない。しかし鉢栽培に於いて従来の技術では送風ポンプを使用するという方法があるが他の方法で適当な技術が確立されていない。
【０００９】  鉢栽培に水耕技術を取り入れた場合、根の周囲の通風の問題と平行して根に対する液肥面の調節の問題がある。しかし従来の技術ではセンサーと送水ポンプを組み合わせた方法以外適当な技術が確立されていない。
【００１０】  水耕栽培の場合液肥中の酸素の量も大切な条件である。液肥中へ空気を送る送風ポンプを使用していない場合、液肥皿上の液肥の体積に対する液肥の面積の比率を大きくし、空気中の酸素が液肥面から液肥中になるべく多く入るようにする必要がある。
【００１１】  ［０００８］に述べたように根の周囲の空間を多く確保し、［００１０］に述べたように液肥面を低く保つと、鉢の底網に近い部分の根が液肥面から遠ざかるため乾燥障害を起こす危険性がある。このような場合、根を乾燥の害から守るため液肥面を調節し上昇させる必要がある。
【００１２】  本発明は鉢栽培でナス科やウリ科のように大きく育つ大型作物を畑栽培に近い形で栽培できるように水耕技術を取り入れ、作物の生長に応じて鉢の高さを調節し、また液肥面の高さを調節することを特徴とする。
【００１３】  本発明はベランダや庭先で手軽に大型作物の鉢栽培を楽しめるようにコストを低く抑えた構造にも特徴がある。
【課題を解決するための手段】
【００１４】    丸形または角形の鉢（１）の底部に底網（３）と複数の脚部（４）と複数の通気口（５）を設ける。（図１、図２）
【００１５】  偏平の液肥皿（６）の側面にキャップ（９）のついた上部排水口（７）とキャップ（９）のついた下部排水口（８）を設ける。また液肥皿（６）の側面に１〜２カ所の液肥補給容器設置部（１１）を設け、この液肥補給容器設置部（１１）の上面に複数の液肥補給容器支持金具とりつけ穴（１０）を設ける。（図３、図４）
【００１６】  鉢の脚部（４）に装着できる高さ調節ブロック（１２）を設ける。（図５）
【００１７】  液肥補給容器（１６）に廃品になったペットボトルを使用するため、ペットボトルの口に合うノズルつきキャップ（１３）を設ける。（図６）
【００１８】  ペットボトルが縦に収まる形の液肥補給容器支持金具（１４）を設け、この液肥補給容器支持金具（１４）の足にネジ山を設け、このネジ山上を上下する液肥調節ナット（１５）を設ける。（図７）
【００１９】  上記の鉢（１）、液肥皿（６）、高さ調節ブロック（１２）、ノズルつきキャップ（１３）、そして液肥補給容器支持金具（１４）の５点と廃品となったペットボトルを組み合わせて大型作物の栽培可能な鉢栽培水耕装置とする。（図８、図９）
【発明の効果】
【００２０】  上述したように本発明はベランダや庭先で鉢を利用して大型作物を手軽に栽培できるようにした効果がある。また電動ポンプ等を使用せず、装置が簡単なことからコストを低く抑えられるという利点もある。
【発明を実施するための最良の形態】
【００２１】  以下本発明の実施形態を図面に基づいて説明する。【００２２】  鉢（１）に元肥を施した土（２）を入れ作物を植えて液肥皿（６）の上に置き普通の鉢栽培と同様の管理をする。この時点で雨水や潅水時の余り水の滞水を防ぐため液肥皿（６）の下部排水口（８）のキャップ（９）をはずしておく。【００２３】  作物が生長し鉢（１）の底網（３）から根が伸びた時点で液肥皿（６）の下部排水口（８）にキャップ（９）をし、上部排水口（７）のキャップ（９）をはずして液肥（１７）を液肥皿（６）の上部排水口（７）の高さまで入れる。（図８）【００２４】  液肥は市販されている液肥の素を希釈して使用する。【００２５】  液肥中に作物の根が伸び作物が生長して液肥皿（６）の液肥（１７）の減りが早くなった時点で液肥（１７）の入った液肥補給容器（１６）を液肥皿（６）に設置する。（図８）【００２６】  液肥皿（６）上の根の密度が高くなった時点で根腐れ防止のため鉢の脚部（４）に高さ調節ブロック（１２）を装着して鉢を持ち上げる。高さ調節ブロック（１２）は必要に応じて追加し鉢の高さを調節する。（図９）【００２７】  鉢（１）の高さが上がり、液肥（１７）の面から鉢の底網（３）附近の根が離れ過ぎて乾燥した場合、液肥皿（６）の上部排水口（７）にキャップ（９）をし液肥補給容器支持金具（１４）上の液面調節ナット（１５）を下げ、液肥補給容器（１６）を持ち上げて液肥皿（６）上の液肥（１７）面を上げ根の乾燥を防ぐ。この場合［００１０］にも述べた理由から液肥面を必要以上に上げないようにする。（図９）【００２８】  液肥皿（６）上の液肥（１７）面が下がるとノズルつきキャップ（１３）から空気が液肥補給容器内に入り、空気の入った分だけ液肥（１７）が流出して自動的に液肥（１７）面の高さを調節する。（図９）【００２９】  液肥補給容器の設置は必要に応じて２カ所にする。【００３０】  栽培過程で液肥中に植物プランクトンが発生したり、ほこりで液肥（１７）が汚れた場合、根を保護するために液肥皿（６）の下部排水口（８）のキャップ（９）をはずして水道水などで洗い流す。
【図面の簡単な説明】
【００３１】
【図１】本発明の鉢の側面部分の断面図
【図２】同鉢の底部分の断面図
【図３】同液肥皿の側面部分の断面図
【図４】同液肥皿の上面部分の断面図
【図５】同高さ調節ブロックの斜視図
【図６】同ノズルつきキャップの斜視図
【図７】同液肥補給容器支持金具の斜視図
【図８】同実施形態を示す断面図
【図９】同実施形態を示す断面図
【符号の説明】
１  鉢
２  土
３  底網
４  脚部
５  通気口
６  液肥皿
７  上部排水口
８  下部排水口
９  キャップ
１０  液肥補給容器支持金具とりつけ穴
１１  液肥補給容器設置部
１２  高さ調節ブロック
１３  ノズルつきキャップ
１４  液肥補給容器支持金具
１５  液面調節ナット
【図１】
2008118976.tif 000003
【図２】
2008118976.tif 000004
【図３】
2008118976.tif 000005
【図４】
2008118976.tif 000006
【図５】
2008118976.tif 000007
【図６】
2008118976.tif 000008
【図７】
2008118976.tif 000009
【図８】
2008118976.tif 000010
【図９】
2008118976.tif 000011
【手続補正書】
【提出日】平成19年2月19日(2007.2.19)
【手続補正１】
【補正対象書類名】特許請求の範囲
【補正対象項目名】請求項１
【補正方法】変更
【補正の内容】
【請求項１】
底部に底網（３）と複数の脚部（４）と複数の通気口（５）を設けた丸形または角形の鉢（１）と、
上記鉢（１）を載置し、側面にキャップ（９）のついた上部排水口（７）とキャップ（９）のついた下部排水口（８）とを有する偏平の液肥皿（６）と、
上記液肥皿（６）の側面に設けられ、上面に複数の液肥補給容器支持金具とりつけ穴（１０）を有する液肥補給容器設置部（１１）と、
上記脚部（４）に装着できる高さ調節ブロック（１２）と、口に合うノズルつきキャップ（１３）を設けたペットボトルと、
上記ペットボトルが縦に収まる形に形成され、足にはネジ山と該ネジ山を上下する液面調節ナット（１５）が設けられた液肥補給容器支持金具（１４）とからなる大型作物可能な鉢栽培水耕装置において、
上記鉢（１）は、上記高さ調節ブロック（１２）を使用することにより高さ調節可能に上記液肥皿（６）に載置され、
また、上記液肥補給容器支持金具とりつけ穴（１０）には、上記液肥補給容器支持金具（１４）の足を、上記液面調節ナット（１５）により高さ調節可能に装着することを特徴とする大型作物の栽培可能な鉢栽培水耕装置。
【手続補正２】
【補正対象書類名】明細書
【補正の内容】
2008118976.tif 000012
2008118976.tif 000013
【手続補正書】
【提出日】平成19年5月25日(2007.5.25)
【手続補正１】
【補正対象書類名】手続補正書
【補正対象項目名】手続補正２
【補正方法】変更
【補正の内容】
【手続補正２】
【補正対象書類名】明細書
【補正対象項目名】全文
【補正方法】変更
【補正の内容】
【発明の詳細な説明】
【技術分野】
【０００１】  本発明は、鉢栽培で大型作物を容易に栽培可能にするための水耕技術を取り入れた鉢栽培水耕装置に関するものである。
【背景技術】
【０００２】  従来の鉢栽培に水耕技術を取り入れた装置は数多くあるが、その多くが小型作物の栽培を目的としたものである。（例えば特許文献１参照、特許文献２参照）【０００３】  鉢栽培と水耕栽培を組み合わせた装置の中に空気ポンプを利用したものがある。（例えば特許文献３参照）【０００４】  鉢栽培にタンク式給水装置を配置したものがある。（例えば実用新案文献１参照）【０００５】
【特許文献１】特開２００４−２２２５５２
【特許文献２】特開２００３−３３１１９
【特許文献３】特開平９−１４０２８２
【実用新案文献１】
実開平６−４５４３６
【発明が解決しようとする課題】
【０００６】  従来、鉢栽培技術または鉢栽培に水耕技術を取り入れた方法は先行技術として数多くある。しかし大型作物栽培に適合した鉢栽培技術は確立されていない。
【０００７】  普通の大人が鉢を扱う場合丸形の鉢の場合で直径３００ｍｍ高さ３００ｍｍで土を入れたときの総重量が２０Ｋｇ以内というのが大きさの範囲と思われる。この大きさの鉢を用い土栽培だけで大型作物を畑同様に育てることは困難である。そこで鉢栽培に水耕技術を取り入れると大型作物の栽培の可能性が高まる。
【０００８】  大型作物が生長するに従い地上部に比例して鉢の底から出てくる根の量が増える。その場合通気性が悪くなり酸欠による根腐れが起こりやすくなる。根腐れを防止するには根の周囲の空間を確保し通風を良くしなければならない。しかし鉢栽培に於いて従来の技術では送風ポンプを使用するという方法があるが他の方法で適当な技術が確立されていない。
【０００９】  鉢栽培に水耕技術を取り入れた場合、根の周囲の通風の問題と平行して根に対する液肥面の調節の問題がある。しかし従来の技術ではセンサーと送水ポンプを組み合わせた方法以外適当な技術が確立されていない。
【００１０】  水耕栽培の場合液肥中の酸素の量も大切な条件である。液肥中へ空気を送る送風ポンプを使用していない場合、液肥皿上の液肥の体積に対する液肥の面積の比率を大きくし、空気中の酸素が液肥面から液肥中になるべく多く入るようにする必要がある。
【００１１】  ［０００８］に述べたように根の周囲の空間を多く確保し、［００１０］に述べたように液肥面を低く保つと、鉢の底網に近い部分の根が液肥面から遠ざかるため乾燥障害を起こす危険性がある。このような場合、根を乾燥の害から守るため液肥面を調節し上昇させる必要がある。
【００１２】  本発明は鉢栽培でナス科やウリ科のように大きく育つ大型作物を畑栽培に近い形で栽培できるように水耕技術を取り入れ、作物の成長に応じて鉢の高さを調節し、また液肥面の高さを調節することを特徴とする。
【００１３】  本発明はベランダや庭先で手軽に大型作物の鉢栽培を楽しめるようにコストを低く抑えた構造にも特徴がある。
【課題を解決するための手段】
【００１４】  底部に底網（３）と複数の脚部（４）と複数の通気口（５）を設けた丸形または角形の鉢（１）と、上記鉢（１）を載置し、側面にキャップ（９）のついた上部排水口（７）とキャップ（９）のついた下部排水口（８）とを有する偏平の液肥皿（６）と、上記液肥皿（６）の側面に設けられ、上面に複数の液肥補給容器支持金具とりつけ穴（１０）を有する液肥補給容器設置部（１１）と、上記脚部（４）に装着できる高さ調節ブロック（１２）と、口に合うノズルつきキャップ（１３）を設けたペットボトルと、上記ペットボトルが縦に収まる形に形成され、足にはネジ山と該ネジ山を上下する液面調節ナット（１５）が設けられた液肥補給容器支持金具（１４）とからなる大型作物可能な鉢栽培水耕装置において、上記鉢（１）は上記高さ調節ブロック（１２）を使用することにより高さ調節可能に上記液肥皿（６）に載置され、また、上記液肥補給容器支持金具とりつけ穴（１０）には、上記液肥補給容器支持金具（１４）の足を、上記液面調節ナット（１５）により高さ調節可能に装着することを特徴とする大型作物の栽培可能な鉢栽培水耕装置を用いる。（図１〜図９）
【発明の効果】
【００１５】  上述したように本発明はベランダや庭先で鉢を利用して大型作物を手軽に栽培できるようにした効果がある。また電動ポンプ等を使用せず、装置が簡単なことからコストが低く抑えられるという利点もある。
【発明を実施するための最良の形態】
【００１６】  以下本発明の実施の形態を図面に基づいて説明する。【００１７】  鉢（１）に元肥を施した土（２）を入れて作物を植えて液肥皿（６）の上に置き普通の鉢栽培と同様の管理をする。この時点で雨水や潅水時の余り水の滞水を防ぐため液肥皿（６）の下部排水口（８）のキャップ（９）をはずしておく。【００１８】  作物が生長し鉢（１）の底網（３）から根が伸びた時点で液肥皿（６）の下部排水口（８）にキャップ（９）をし、上部排水口（７）のキャップ（９）をはずして液肥（１７）を液肥皿（６）の上部排水口（７）の高さまで入れる。（図８）【００１９】  液肥は市販されている液肥の素を希釈して使用する。【００２０】  液肥中に作物の根が伸び作物が生長して液肥皿（６）の液肥（１７）の減りが早くなった時点で液肥（１７）の入った液肥補給容器（１６）を液肥皿（６）に設置する。（図８）【００２１】  液肥皿（６）上の根の密度が高くなった時点で根腐れ防止のため鉢の脚部（４）に高さ調節ブロック（１２）を装着して鉢を持ち上げる。高さ調節ブロック（１２）は必要に応じて追加し鉢の高さを調節する。（図９）【００２２】  鉢（１）の高さが上がり、液肥（１７）の面から鉢の底網（３）附近の根が離れ過ぎて乾燥した場合、液肥皿（６）の上部排水口（７）にキャップ（９）をし液肥補給容器支持金具（１４）上の液面調節ナット（１５）を下げ、液肥補給容器（１６）を持ち上げて液肥皿（６）上の液肥（１７）面を上げ根の乾燥を防ぐ。この場合［００１０］にも述べた理由から液肥面を必要以上に上げないようにする。（図９）【００２３】  液肥皿（６）上の液肥（１７）面が下がるとノズルつきキャップ（１３）から空気が液肥補給容器内に入り、空気の入った分だけ液肥（１７）が流れ出して自動的に液肥（１７）面の高さを調節する。（図９）【００２４】  液肥補給容器の設置は必要に応じて２ヶ所にする。【００２５】  栽培過程で液肥中に植物プランクトンが発生したり、ほこりで液肥（１７）が汚れた場合、根を保護するために液肥皿（６）の下部排水口（８）のキャップ（９）をはずして水道水などで洗い流す。
【図面の簡単な説明】
【００２６】
【図１】本発明の鉢の側面部分の断面図
【図２】同鉢の底部分の断面図
【図３】同液肥皿の側面部分の断面図
【図４】同液肥皿の上面部分の断面図
【図５】同高さ調節ブロックの斜視図
【図６】同ノズルつきキャップの斜視図
【図７】同液肥補給容器支持金具の斜視図
【図８】同実施形態を示す断面図
【図９】同実施形態を示す断面図
【符号の説明】
【００２７】１    鉢
２    土
３    底網
４    脚部
５    通気口
６    液肥皿
７    上部排水口
８    下部排水口
９    キャップ
１０  液肥補給容器支持金具とりつけ穴
１１  液肥補給容器設置部
１２  高さ調節ブロック
１３  ノズルつきキャップ
１４  液肥補給容器支持金具
１５  液面調節ナット
１６  液肥補給容器
１７  液肥